Podtech/llm-jp-corpus-v4-ja_patent huggingface dataset:
【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
生体内の検知装置を備え、生体内の検知装置は、
発光源と、
イメージングセンサと、
送信装置と、
発光源が光線を生成する期間、イメージングセンサが画像を撮像する期間、および送信装置が前記画像を送信する期間からなる群から選択される期間を同期させる制御ブロックと、
画像データバッファリングを実行する制御ブロックと、
検知装置内に配置され、制御ブロックに対する制御メッセージを無線受信する内部受信装置とを含み、さらに、
前記検知装置が患者の体内に存在する間に前記生体内の検知装置から受信した画像をディスプレイに表示するための外部受信装置を備える、生体内検知システム。
【請求項２】
前記外部受信装置は、前記生体内の検知装置から受信した画像をメモリに記録することと、前記画像を処理することと、前記外部受信装置のディスプレイに前記画像を表示することとを、同時に実行する、請求項１に記載のシステム。
【請求項３】
前記外部受信装置は、前記生体内の検知装置から受信した画像をメモリに記録することと、同時に前記外部受信装置のディスプレイに前記画像を表示することとを実行する、請求項１に記載のシステム。
【請求項４】
ワークステーションとワークステーションのディスプレイとを備える、請求項１に記載のシステム。
【請求項５】
前記外部受信装置は、前記生体内の検知装置から受信したストリーム画像のうちの画像をメモリに記録することと、前記画像を前記メモリから前記ワークステーションにダウンロードすることと、前記画像を前記ワークステーションのディスプレイに表示することとを同時に実行する、請求項４に記載のシステム。
【請求項６】
前記外部受信装置は、前記生体内の検知装置から受信したストリームの画像のうちの画像をメモリに記録することと、前記メモリからワークステーションに前記画像をダウンロードすることと、前記画像を前記ワークステーションのディスプレイに表示することとを同時に実行する、請求項４に記載のシステム。
【請求項７】
前記外部受信装置は、ワークステーションから制御メッセージを受信する、請求項４に記載のシステム。
【請求項８】
携帯型の装置を備え、前記携帯型の装置は、選択された順に選択された画像をダウンロードするように前記外部受信装置を制御する、請求項１に記載のシステム。
【請求項９】
前記内部受信装置は、前記検知装置による撮像を有効にすること又は無効にすること、撮像のための期間を制御すること、および前記検知装置からの送信を有効にすること又は無効にすることからなる群から選択される制御メッセージを無線受信する、請求項１に記載のシステム。
【請求項１０】
前記外部受信装置は、携帯型の装置である、請求項１に記載のシステム。
【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
アクチュエータ本体（２０）と吸入器用缶アセンブリ（７０）とを備え、前記吸入器用缶アセンブリ（７０）が、バルブ端に計量バルブを備える缶（３０）と底部端に取り付けられた投与回数カウンタユニット（６０）とを含む吸入装置（１０）であって、
前記吸入器用缶アセンブリ（７０）が第１の位置確保手段（１１０、２３０）を備え、前記アクチュエータ本体が第２の位置確保手段（１２０、２１０）を備え、前記第１および第２の位置確保手段は相補的な係合手段であって、前記第１および第２の位置確保手段が係合関係になければ、前記吸入装置（１０）の発射ができず、かつ前記カウンタユニット（６０）がカウントしないように、前記第１および第２の位置確保手段が構成されていることを特徴とする吸入装置。
【請求項２】
前記吸入装置が、前記アクチュエータ本体に対する前記吸入器用缶アセンブリの相対運動によって発射され、
前記第１および第２の位置確保手段が、非係合の関係に位置しているときに、前記吸入器用缶アセンブリの相対運動を防止するように構成されていることを特徴とする請求項１に記載の吸入装置。
【請求項３】
前記第２の位置確保手段が、前記アクチュエータ本体からの少なくとも１つの突起（１２０）であり、前記第１の位置確保手段が、前記吸入器用缶アセンブリの係合する少なくとも１つの開口、溝、またはスリット（１１０）であることを特徴とする請求項１または２に記載の吸入装置。
【請求項４】
前記第１の位置確保手段が、前記投与回数カウンタユニットに形成されていることを特徴とする請求項１または２に記載の吸入装置。
【請求項５】
前記第２の位置確保手段が、前記投与回数カウンタのための駆動手段として機能するように構成されていることを特徴とする請求項４に記載の吸入装置。
【請求項６】
前記缶アセンブリが前記アクチュエータ本体に配置されたとき、前記第１および第２の位置確保手段が、前記アクチュエータ本体の外表面に隣接して前記カウンタから下方へと延びる保護シールド（１５０）によって覆われることを特徴とする請求項４に記載の吸入装置。
【請求項７】
前記第２の位置確保手段を前記第１の位置確保手段との係合関係へと導くための案内手段（１６０）を備えることを特徴とする請求項４に記載の吸入装置。
【請求項８】
案内手段が、前記保護シールドの内側に設けられていることを特徴とする請求項４に記載の吸入装置。
【請求項９】
案内手段（１６０）が、前記第１の位置確保手段と前記缶の外表面との間に設けられていることを特徴とする請求項４に記載の吸入装置。
【請求項１０】
バルブ端に計量バルブを備える缶と底部端に取り付けられた投与回数カウンタユニットとを含み、アクチュエータ本体と組み合わせられたときに吸入装置を形成する吸入器用缶アセンブリ（７０）であって、
アクチュエータ本体の第２の位置確保手段に対しての相補的な係合手段である第１の位置確保手段を備え、前記第１および第２の位置確保手段が結合関係になければ、前記吸入装置の発射ができず、かつ前記カウンタユニットがカウントしないように、前記第１および第２の位置確保手段が構成されていることを特徴とする吸入器用缶アセンブリ。
【請求項１１】
バルブ端に計量バルブを備える缶と底部端に取り付けられた投与回数カウンタユニットとを含む吸入器用缶アセンブリと組み合わせられたときに、吸入装置を形成するアクチュエータ本体（２０）であって、
吸入器用缶アセンブリの第１の位置確保手段に対しての相補的な係合手段である第２の位置確保手段を備え、前記第１および第２の位置確保手段が係合関係になければ、前記吸入装置の発射ができず、かつ前記カウンタユニットがカウントしないように、前記第１および第２の位置確保手段が構成されていることを特徴とするアクチュエータ本体。
【請求項１２】
図１に示す吸入装置により薬剤を患者に投与して治療することを特徴とする治療方法。
【手続補正書】
【提出日】平成20年7月1日(2008.7.1)
【手続補正１】
【補正対象書類名】特許請求の範囲
【補正対象項目名】全文
【補正方法】変更
【補正の内容】
【特許請求の範囲】
【請求項１】
少なくとも一つの液体成分と少なくとも一つの固体成分とを含む供給混合物をフィルターメディアに導く工程と、
前記フィルターメディアの流体供給側に沿ってガス流を導く工程と、
濾液及びガスの少なくとも一部を、前記流体供給側から前記濾液側へと前記フィルターメディアを通過させることによって、前記供給混合物を濾過し、前記フィルターメディアから堆積物を除去する工程と、
を含む濾過方法。
【請求項２】
前記ガスと前記濾液とを分離する工程を更に備える、請求項１に記載の方法。
【請求項３】
前記フィルターメディアの前記流体供給側からガスを排気する工程を更に備える、請求項１に記載の方法。
【請求項４】
前記少なくとも一つの液体成分が溶剤を含み、前記ガスが気相の前記溶剤を含む、請求項１に記載の方法。
【請求項５】
前記ガスが、前記供給混合物と共に前記フィルターメディアに導かれる、請求項１に記載の方法。
【請求項６】
前記供給混合物の濾過を停止する工程と、
逆洗、ブローバック、洗浄、流水、及びかき取りのうちの一以上を実行する工程と、
前記供給混合物の濾過を再開する工程と、
を更に含む、請求項１に記載の方法。
【請求項７】
前記ガスの少なくとも一部を、前記フィルターメディアを通過させる工程が、前記ガスの少なくとも５０％を、前記フィルターメディアを通過させることである、請求項１に記載の方法。
【請求項８】
液体固体供給混合物を導入するための供給口と、
ガスを導入するためのガス注入口と、
前記供給口及び前記ガス注入口に連通する流体供給側、並びに濾液側を有するフィルターエレメントと、
を有するフィルターアセンブリを備え、
前記フィルターエレメントが、フィルターメディアを含み、該フィルターメディアが、前記流体供給側から前記濾液側へと前記フィルターエレメントを通過するガス及び濾液の流路にわたって配置されており、濾液および前記ガスの大部分が前記フィルターメディアを通過する、
濾過システム。
【請求項９】
前記フィルターエレメントの前記濾液側と連通しており、ガスと濾液を分離する分離器を更に備える、請求項８に記載のシステム。
【請求項１０】
ガス源と連通し、ガスを前記フィルターエレメントに分配するガス分配器を更に備える、請求項８に記載のシステム。
【請求項１１】
前記フィルターアセンブリに接続されており、ガスを供給混合物と共に導入するバルブ機構を更に備える、請求項８に記載のシステム。
【請求項１２】
前記バルブ機構が、供給口バルブとガスバルブとに接続されたコントローラを備える、請求項１１に記載のシステム。
【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
キャリアに端子を結合するためのはんだ系であって、
鉛（Ｐｂ）の存在を検出するための鉛（Ｐｂ）インジケータと、
前記鉛（Ｐｂ）インジケータ用のキャリアとして機能するはんだフラックスと、を備えるはんだ系。
【請求項２】
前記はんだ系が、前記キャリア上にコーティングを含む請求項１に記載のはんだ系。
【請求項３】
前記キャリアが、プリント回路基板及びボール・グリッドアレイ基板からなるグループから選択されることを特徴とする請求項２に記載のはんだ系。
【請求項４】
半導体デバイスを形成する方法であって、
キャリアを準備する段階と、
前記キャリアに、鉛（Ｐｂ）インジケータとはんだフラックスとを含むはんだ系を施工させる段階と、
前記はんだ系を介して前記キャリアに端子を結合する段階と、
前記はんだ系を溶融して前記キャリアに前記端子を取り付け、完成半導体デバイスを形成する段階と、
前記完成半導体デバイスが前記はんだ系とは異る予め定められた特性を有するかどうかを判定する段階と、
を含む方法。
【請求項５】
前記判定段階が、前記完成半導体デバイスを外観検査する段階を更に含む請求項４に記載の方法。
【手続補正書】
【提出日】平成20年4月22日(2008.4.22)
【手続補正１】
【補正対象書類名】特許請求の範囲
【補正対象項目名】全文
【補正方法】変更
【補正の内容】
【特許請求の範囲】
【請求項１】
前面（１０４）と前記前面と反対の裏面（１０６）とを含み、上部（１０８）、中部（１０９）および下部（１１０）をさらに含む基材（１０２）と、
前記基材（１０２）の前記中部（１０９）を通り、第１の端部（１２１）と第２の端部（１２３）とを含んで、フラップ（１１４）を形成する切断部（１２０）と、
前記基材（１０２）の、前記裏面（１０６）の前記上部（１０８）および前記裏面（１０６）の前記下部（１１０）に沿った接着剤（１２２、１２４）と、
前記基材（１０２）を折り返すことができる、前記切断部（１２０）の前記第１の端部（１２１）および前記第２の端部（１２３）を通る折り返し線（１２６）と
を含み、前記基材を前記折り返し線（１２６）に沿って折り返すと、前記フラップ（１１４）が前記折り返し線（１２６）を超えて延在し、前記上部（１０８）の前記裏面（１０６）が前記中部（１０９）の前記裏面（１０６）に向き合う、シート材料（１３０）に付けるタブ（１００）。
【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
反応性の官能基を有する熱可塑性の重合体を含む可融性の重合体の粒子を含む可融性の上部の層を有する支持体を含むインクジェット記録素子であって、
該上部の層は、溶融にさらされるとき、該熱可塑性の重合体における該反応性の官能基を架橋させることが可能な相補的な反応性の官能基を有する多官能性の化合物をさらに含む、素子。
【請求項２】
前記上部の層における前記可融性の重合体の粒子における前記熱可塑性の重合体は、オキサゾリン、エポキシ、酸、酸無水物、アセトアセトキシ、第一級の又は第二級のアミン、ヒドロキシル、フェノール、チオール、及び、イソシアナートの官能性からなる群より選択された反応性の官能性を有する単量体の単位を含むと共に、前記多官能性の化合物は、相補的な反応性の官能性を有すると共に、該相補的な反応性の官能性は、同じ群より選択される、請求項１に記載の素子。
【請求項３】
Ａ）ディジタルデータの信号に応答するインクジェットプリンターを提供する；
Ｂ）該プリンターに請求項１に記載のインクジェット記録素子を装填する；
Ｃ）該プリンターにインクジェットのインク組成物を装填する；
Ｃ）該ディジタルデータの信号に応答して該インクジェットのインク組成物を使用して該インクジェット記録素子に印刷する；及び
Ｄ）少なくとも該可融性の多孔性の上部の層を、該層が非多孔性のものであるように、溶融する：
のステップを含む、インクジェット印刷方法。
【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
ホテルの宿泊者を識別し、宿泊者が部屋へアクセスできるように働き、挿入口付読み取り機中に反復して挿入するのに適した、そして対向する平面状の表面を有するベース支持体と、デジタル写真画像、グラフィック、数値またはテキスト情報、またはそれらの組み合わせをディスプレイするための、前記ベース支持体の少なくとも１つの平面状表面に形成された、少なくとも１つの熱記録層と、前記ベース支持体および／または前記熱記録層の上またはその内部に含まれる、機械で読み取り可能な少なくとも１つの情報記憶システムとを備えた、ホテル宿泊者カードの形態における多機能の直接熱記録体。
【請求項２】
前記ベース支持体が,紙、合成樹脂フィルム、金属フォイル、織布および不織布の群から選択された材料から製造された、１つのベースシートを含む固体のコアベース支持体である、請求項１記載の多機能の直接熱記録体。
【請求項３】
前記固体のコアベース支持体の前記ベースシートが、高ダインレベルの合成樹脂フィルムから製造されている、請求項２記載の多機能の直接熱記録体。
【請求項４】
前記ベース支持体が、少なくとも２つのラミネートされたベースシートを含む、ラミネートされた構造体であり、各ベースシートが、紙、合成樹脂フィルム、金属フォイル、織布および不織布の群から選択された材料から製造されたものである、請求項１記載の多機能の直接熱記録体。
【請求項５】
前記ベース支持体が、約１００〜約１０００ミクロンの範囲の厚さ、１平方メートル当たり約５０〜約１５００ｇの範囲の坪重量、約１０〜約１００００のＢｅｋｋ（ベック）秒の表面平滑度および１メートル当たり少なくとも約０.３ミリニュートン（ＴＡＰＰＩ  Ｔ４８９）の剛性を有する、請求項１記載の多機能の直接熱記録体。
【請求項６】
前記熱記録層が無色または淡色の塩基性染料、適当な温度に加熱したときに塩基性染料における色の形成を誘導できる発色剤およびバインダーを含む水性コーティング配合剤から製造されたものである、請求項１記載の多機能の直接熱記録体。
【請求項７】
前記熱記録層を、
（１）３−ジ（ｎ−ブチル）アミノ−６−メチル−７−アニリノフルオラン、３−（Ｎ−エチル−Ｎ−イソアミルアミノ）−６−メチル−７−アニリノフルオラン、３−ジ（ｎ−ペンチル）アミノ−６−メチル−７−アニリノフルオラン、３−（Ｎ−エチル−ｐ−トルイジノ）−６−メチル−７−アニリノフルオランおよびそれらの組み合わせを含む群から選択された、コーティング配合剤の全重量に対して、約３〜約４０重量％の塩基性染料；
（２）ビス（３−アリールー４−ヒドロキシフェニル）スルフォン、Ｎ−（ｐ−トルエンスルフォニル）−Ｎ’−（３−ｐ−トルエンスルフォニルオキシフェニル）ユレアおよびそれらの組み合わせを含む群から選択された、コーティング配合剤の全重量に対して、約３〜約５０重量％の発色剤；および
（３）ＰＶＡ、ＰＶＡ誘導体、スターチ、スターチ誘導体、スチレン−ブタジエンコーポリマーエマルジョンおよびそれらの組み合わせを含む群から選択された、コーティング配合剤の全重量に対して、約２〜約６０重量％のバインダーを含む水性コーティング配合剤から製造した、請求項１記載の多機能の直接熱記録体。
【請求項８】
前記水性コーティング配合剤が、
１,２−ジ（ｍ−トリルオキシ）エタンおよび１,２−ジフェノキシエタンの群から選択された、コーティング配合剤の全重量に対して、約１〜約６０重量％の増感剤と、
水酸化アルミニウム、炭酸カルシウム、粘土、シリカおよびそれらの混合物から選択された、コーティング配合剤の全重量に対して、約０〜約４０重量％の無機顔料と、
エチルアルコール、メチルアルコールおよび水の混合物内のナトリウムビス−トリデシルスルフォスクシネート、エチルアルコールと水の混合物内のナトリウムビス−オクチルスルフォスクシネートの群から選択された、コーティング配合剤の全重量に対して、約０.０１〜約１.０重量％の界面活性剤とを更に含む、請求項７記載の多機能の直接熱記録体。
【請求項９】
前記少なくとも１つの機械で読み取り可能な情報記憶システムが、磁気ストライプ、バーコード、光学的文字認識デバイスによって認識できるテキスト、ビデオ画像認識デバイスによって認識できる画像、無線周波数識別器およびそれらの組み合わせの群から選択されたものである、請求項１記載の多機能の直接熱記録体。
【請求項１０】
前記少なくとも１つの機械で読み取り可能な情報記憶システムが、磁気的にコード化された情報を含む１本以上の磁気ストライプを含む、請求項９記載の多機能の直接熱記録体。
【請求項１１】
前記少なくとも１つの機械で読み取り可能な情報記憶システムが、１つ以上のバーコードを含む、請求項９記載の多機能の直接熱記録体。
【請求項１２】
前記少なくとも１つの機械で読み取り可能な情報記憶システムが、１つ以上の無線周波数識別器を含む、請求項９記載の多機能の直接熱記録体。
【請求項１３】
前記１つ以上の無線周波数識別器が、（ａ）情報を記憶するためのメモリ回路および／または関連するメモリに記憶された情報を操作するためのマイクロプロセッサ、（ｂ）無接触のインターフェース、およびオプションとしての（ｃ）内部電源を含む、請求項１２記載の多機能の直接熱記録体。
【請求項１４】
前記熱記録層を含む前記平面状表面と反対の、前記ベース支持体の平面状表面に設けられたプリント可能な表面または層を更に含む、請求項１記載の多機能の直接熱記録体。
【請求項１５】
１つ以上の外側保護層を更に含む、請求項１記載の多機能の直接熱記録体。
【請求項１６】
カードを発行したホテルまたは介護用の部屋に関するプリントされた情報を含むプリント可能な表の面または上部表面、およびコード化可能な磁気ストライプ、スキャン可能なバーコード、ホテルの宿泊者のデジタル写真画像、宿泊者に関するプリントされた情報およびカードを使用するためのインストラクションを含む熱記録用裏面または下方表面を有するベース支持体を備えた、請求項１記載の多機能の直接熱記録体。
【請求項１７】
前記ベース支持体が、１つ以上の無線周波数識別器を含む、請求項１６記載の多機能の直接熱記録体。
【請求項１８】
ホテル宿泊者を識別し、宿泊者が部屋へアクセスできるように働くようにした多機能の宿泊者カードをホテル宿泊者に準備し、その宿泊者カードは、（ａ）対向する平面状表面を有するベース支持体と、（ｂ）ホテル宿泊者のデジタル写真画像、ホテル宿泊者のグラフィック、数値またはテキスト情報またはそれらの組み合わせをディスプレイするための少なくとも１つの熱記録層と、前記ベース支持体および／または熱記録層上またはその内部に含まれる、宿泊者が部屋へアクセスできるように働くための機械で読み取り可能な少なくとも１つの情報記憶システムとを備えていることよりなるホテルチェックインを合理化する方法。
【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
中空器官の壁を塞ぎ、液密に穿刺するための、基端部分及び先端部分を含む組み合わせた外科用装置において、
前記先端部分に向かって配置された、前記中空器官の壁用の外科用ステープルであって、前記ステープルの閉鎖位置と前記ステープルの開放位置との間で変形できる実質的に平らな背部と、各々が軸線に沿って延びる間隔が隔てられた少なくとも二つのピンとを含み、前記ピンの自由端は、前記背部が前記閉鎖位置にあるとき、一点に集まり、少なくとも二列のピンの軸線は、互いに平行に整合する傾向があり、前記ステープルの前記背部には、前記ステープルが前記開放位置にある場合には中央開口部が形成され、前記ピンのチップは、前記ステープルが前記開放位置にあるとき、前記閉鎖位置におけるよりも大きい隙間によって離間される、ステープルと、
穿刺装置と、直径が前記ステープルの前記中央開口部と対応する中空チャンネルとを含み、支持体に取り付けられており且つ流体搬送導管に連結された液密穿刺システムと、
前記ステープルを所定の位置に保持するための保持手段であって、前記ステープルをその開放位置からその閉鎖位置にでき、前記ステープルを所定の位置に保持するための保持手段は、２つのジョー及び係止手段を備えたクランプであり、前記ジョーの自由端には、前記ステープルの把持箇所と協働できる掴み手段が設けられている、前記ステープルを所定の位置に保持するための保持手段と、
前記装置の前記先端部分に向かって延びる引っ張り部材に連結された、前記装置の前記ヘッドを形成する支持体と、
前記装置の前記ヘッドを器官の内側に導入できる導入器とを含む、外科用装置。
【請求項２】
請求項１に記載の外科用装置において、前記ステープルは弾性変形可能であり、前記係止手段は、開放位置の前記ジョーの所定位置に前記ステープルを保持する、外科用装置。
【請求項３】
請求項１に記載の外科用装置において、
前記ステープルは塑性変形可能であり、第２係止手段が、前記開放位置の前記ジョーの所定位置に前記ステープルを保持し、前記クランプの前記ジョーは、前記ステープルの前記背部を塑性変形させ、第２のしっかりと掴む手段によって作動できる、外科用装置。
【請求項４】
請求項１乃至３のうちのいずれか一項に記載の外科用装置において、
前記支持体は、中空器官の壁に当てることができ且つ穿刺作業中に前記装置の前記ヘッドを所定位置に保持できる保持手段を備えている、外科用装置。
【請求項５】
請求項４に記載の外科用装置において、
前記保持手段は、負圧源に連結できる導管に連結された吸引器を含む、外科用装置。
【請求項６】
請求項５に記載の外科用装置において、
前記穿刺装置及び前記ステープル保持手段は、前記吸引器の内側に配置される、外科用装置。
【請求項７】
請求項１乃至６のうちのいずれか一項に記載の外科用装置において、
前記穿刺装置は、中空導管を通して挿入できるトロカールを含む、外科用装置。
【請求項８】
請求項１乃至７のうちのいずれか一項に記載の外科用装置用の外科用ステープルであって、
前記ステープルが所定の位置にあるとき、中空器官の壁から突出しない実質的に平らな背部と、間隔が隔てられた少なくとも二つのピンとを備えた外科用ステープルにおいて、
前記実質的に平らな背部は、前記ステープルの閉鎖位置と前記ステープルの開放位置との間で変形でき、
前記背部は、互いに関してヒンジ止めされた二つの部品を含み、
前記少なくとも二つのピンは、これらの二つの部品に二列をなして配置されており、実質的に、前記二つの部品の各々の平面に対して垂直な軸線に沿って延びており、
前記背部が閉鎖位置にある場合には、前記二列の前記ピンの自由端が一点に集中し、
前記背部が開放位置にある場合には、前記二列の前記ピンの軸線が互いに平行に整合する傾向があり、前記ステープルには中央開口部が設けられており、前記ピンの前記チップは、前記閉鎖位置におけるよりも大きな隙間によって離間されており、
前記ステープルには、前記ステープルを掴んで前記ステープルを一方の位置に保持するための把持箇所が設けられている、外科用ステープル。
【請求項９】
請求項８に記載の外科用ステープルにおいて、前記背部は、弾性変形可能である、外科用ステープル。
【請求項１０】
請求項８に記載の外科用ステープルにおいて、前記背部は、塑性変形可能である、外科用ステープル。
【手続補正書】
【提出日】平成19年12月25日(2007.12.25)
【手続補正１】
【補正対象書類名】特許請求の範囲
【補正対象項目名】請求項８
【補正方法】変更
【補正の内容】
【請求項８】
EPO部分が以下から選ばれる１以上の変異を含む請求項１〜７のいずれか１項記載の二量体Fc-EPO融合タンパク質：
（i）Arg131→Glu131；
（ii）Arg139→Glu139；
（iii）His32→Gly32
（iv）Ser34→Arg34；
（v）Pro90→Ala90。
【手続補正書】
【提出日】平成20年6月26日(2008.6.26)
【手続補正１】
【補正対象書類名】特許請求の範囲
【補正対象項目名】全文
【補正方法】変更
【補正の内容】
【特許請求の範囲】
【請求項１】
以下の段階を含む、脳損傷を罹患している対象の生体液において上昇する少なくとも一つのmRNAまたはタンパク質マーカーを同定するための方法：
(a)新鮮な脳組織において、少なくとも一つの遺伝子の発現レベルを決定し、かつ該新鮮な脳組織における該少なくとも一つの遺伝子の発現のレベルを、新鮮な非脳組織における同じ遺伝子の発現レベルと比較する段階；および
(b)非脳組織における発現レベルより少なくとも10倍高い発現レベルを新鮮な脳において有する遺伝子のmRNAまたはタンパク質産物を、該マーカーとして同定する段階。
【請求項２】
脳においてmRNAマーカーのレベルが、バックグラウンドより少なくとも10,000倍高い、請求項1記載の方法。
【請求項３】
遺伝子によってコードされるタンパク質が、＜70 kDの分子量を有する、請求項1または2記載の方法。
【請求項４】
請求項1〜3のいずれか一項記載の方法によって同定される少なくとも一つの脳損傷マーカーの存在または非存在について、生体液またはその分画を含む試料を分析するための方法。
【請求項５】
下記に位置するものからなる群より選択される遺伝子のmRNAまたはタンパク質産物である脳損傷マーカーの存在または非存在について、生体液またはその分画を含む試料を分析するための方法：
visinin様1(VLP-1)をコードする遺伝子I.D. No. 7447(VSNLl)、
シナプトソーム関連タンパク質、25 kDaをコードする遺伝子I.D. No. 6616(SNAP25)、
グルタミン酸脱炭酸酵素1をコードする遺伝子I.D. No. 2571(GADl)(脳、67 kDa(GAD67))、
ミエリン関連オリゴデンドロサイト塩基性タンパク質をコードする遺伝子I.D.. No. 4336(MOBP)、
シナプトタグミンIをコードする遺伝子I.D. No. 6857(SYTl)、
チューブリン、β4をコードする遺伝子I.D. No. 10382(TUBB4)、
線維束収縮および伸長タンパク質ζ1(zygin 1)をコードする遺伝子I.D. No. 9638(FEZl)、
グリシン受容体、βをコードする遺伝子I.D. No. 2743(GLRB)、
小胞膜タンパク質p24をコードする遺伝子I.D. No. 140767(VMP)、
olfactomedin 1をコードする遺伝子 I.D. No. 10439(OLFMl)、
Zicファミリーメンバー1をコードする遺伝子I.D. No. 7545(ZICl)(奇数対ホモログ、ショウジョウバエ(Drosophila))、
ニューロン1におけるタンパク質キナーゼCおよびカゼインキナーゼ基質をコードする遺伝子I.D. No. 29993(PACSINl)、
プロテオリピドタンパク質1をコードする遺伝子I.D. No. 5354(PLPl)(ペリツェーウス-メルツパッヒャー病、痙性対麻痺2)、
インターネキシンニューロン中間線維タンパク質、αをコードする遺伝子I.D. No. 9118(INA)、
溶質担体ファミリー32(GABA小胞輸送体)、メンバー1をコードする遺伝子I.D. No. 140679(SLC32A1)、
セリン(またはシステイン)プロテイナーゼインヒビター、クレードI(ニューロセルピン)、メンバー1をコードする遺伝子I.D. No. 5274(SERPINIl)、
Neuronatinをコードする遺伝子I.D. No. 4826(NNAT)、
γアミノ酪酸(GABA)A受容体、γ2をコードする遺伝子I.D. No. 2566(GABRG2)、
小胞関連膜タンパク質2(シナプトブレビン2)をコードする遺伝子I.D. No. 6844(VAMP2)、または
neurogranin(タンパク質キナーゼC基質、RC3)をコードする遺伝子I.D. No. 4900(NRGN)。
【請求項６】
生体液がCSF、血清、尿、もしくは血漿である、請求項5記載の方法。
【請求項７】
分析する段階が、試料液体を、前記遺伝子のタンパク質産物に免疫反応を示す少なくとも一つの抗体で処理する段階を含む、請求項5または6記載の方法。 
【請求項８】
請求項7記載の方法であって、タンパク質がvisinin様1であり、かつ抗体が抗体4399 3A8.1；および/または4403 2B9.3；および/またはR3471によって認識されるエピトープと免疫反応する；または、
タンパク質がニューロセルピンであり、かつ抗体が抗体4421 2G10.2；および/または4421 5B5.1；および/または4421 7D6.3；および/または4505 2Fl.1によって認識されるエピトープと免疫反応性である；または、
タンパク質がzyginであり、かつ抗体が抗体4554 1G4.4；および/または4563 4G3.1；および/またはR4726；および/またはR4727によって認識されるエピトープと免疫反応性である；または、
タンパク質がGAD67であり、かつ抗体が抗体R4610；および/またはR4609；および/またはR4043；および/または R4404；および/またはChemicon MAB5406によって認識されるエピトープと免疫反応性である；または、
タンパク質がインターネキシンであり、かつ抗体が抗体SC-7571および/またはSC-7570によって認識されるエピトープと免疫反応性である；または、
タンパク質がシナプトソーム関連タンパク質-25 kDであり、かつ抗体が抗体SC-7538；および/またはSC-7539；および/または SC-20038によって認識されるエピトープと免疫反応性である；または、
タンパク質がプロテオリピドタンパク質1であり、かつ抗体が抗体SC-23570；および/またはSC-18529によって認識されるエピトープと免疫反応性である；または、
タンパク質がミエリン関連オリゴデンドロサイト塩基性タンパク質であり、かつ抗体が抗体SC-14250；および/またはSC-25666によって認識されるエピトープと免疫反応性である、方法。
【請求項９】
R3471；4399 3A8.1；4403 2B9.3；4421 2G10.2；4421 5B5.1；4421 7D6.3；4505 2Fl.1；4554 1G4.4；4563 4G3.1；R4726；R4727；R4610；R4609；R4043；およびR4044からなる群より選択される抗体によって認識されるエピトープと免疫反応性である、モノクローナルまたは単一特異的抗体。
【請求項１０】
請求項9記載の抗体を産生するハイブリドーマ細胞株。
【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
（ａ）（ｉ）配列番号２および３、
（ii）配列番号５および６、
（iii）配列番号８および９、
（iv）配列番号１０および１１、
（ｖ）配列番号１３および１４、および
（vi）配列番号１６および１７
よりなる群から選択されるプライマー対を使用してサンプルのＰＣＲ増幅を実施し、ＰＣＲ増幅結果を生じさせるステップと、
（ｂ）ステップ（ａ）のＰＣＲ増幅結果を調べてプライマー対の増幅生成物を検出し、それによって、プライマー対の増幅生成物の陽性検出がサンプル中の病原性大腸菌の存在を示すステップと
を含んでなる、サンプル中の病原性大腸菌の存在の検出方法。
【請求項２】
（ａ）（ｉ）配列番号２および３、
（ii）配列番号５および６、
（iii）配列番号８および９、
（iv）配列番号１０および１１、
（ｖ）配列番号１３および１４、および
（vi）配列番号１６および１７
よりなる群から選択される２つの異なるプライマー対を使用してサンプルのＰＣＲ増幅を実施し、ＰＣＲ増幅結果を生じさせるステップと、
（ｂ）ステップ（ａ）のＰＣＲ増幅結果を調べて２つの異なるプライマー対双方の増幅生成物を検出し、それによって、２つの異なるプライマー対双方の増幅生成物の陽性検出がサンプル中の病原性大腸菌の存在を示すステップと
を含んでなる、サンプル中の病原性大腸菌の存在の検出方法。
【請求項３】
配列番号２、配列番号３、配列番号５、配列番号６、配列番号８、配列番号９、配列番号１０、配列番号１１、配列番号１３、配列番号１４、配列番号１６、または配列番号１７を含んでなる、病原性大腸菌の検出のための単離されたポリヌクレオチド。
【請求項４】
（ａ）（ｉ）配列番号２および３、
（ii）配列番号５および６、
（iii）配列番号８および９、
（iv）配列番号１０および１１、
（ｖ）配列番号１３および１４、および
（vi）配列番号１６および１７
よりなる群から選択される少なくとも１つのプライマー対、ならびに
（ｂ）熱安定性ＤＮＡポリメラーゼ
を含んでなる、病原性大腸菌の検出のためのキット。
【請求項５】
（ａ）（ｉ）配列番号２および３、
（ii）配列番号５および６、
（iii）配列番号８および９、
（iv）配列番号１０および１１、
（ｖ）配列番号１３および１４、および、
（vi）配列番号１６および１７
よりなる群から選択される少なくとも１つのプライマー対、ならびに
（ｂ）熱安定性ＤＮＡポリメラーゼ
を含んでなる、ＰＣＲの実施において使用するための複製組成物。
【請求項６】
請求項５に記載の複製組成物を含んでなる錠剤。
【請求項７】
サンプル中の病原性大腸菌の検出のための請求項６に記載の錠剤を含んでなるキット。
【手続補正書】
【提出日】平成20年5月7日(2008.5.7)
【手続補正１】
【補正対象書類名】明細書
【補正対象項目名】発明の名称
【補正方法】変更
【補正の内容】
【発明の名称】２つの体腔を画定するそれぞれの組織の吻合を行うための器械
【手続補正書】
【提出日】平成19年12月26日(2007.12.26)
【手続補正１】
【補正対象書類名】特許請求の範囲
【補正対象項目名】全文
【補正方法】変更
【補正の内容】
【特許請求の範囲】
【請求項１】
FcRn結合パートナーにコンジュゲート化された卵胞刺激ホルモンのアルファ・サブユニット（αFSH）を含む第一の鎖、およびFcRn結合パートナーにコンジュゲート化されたFSHのベータ・サブユニット（βFSH）を含む第二の鎖、の2つの会合するポリペプチド鎖を含む、ヘテロ二量体融合タンパク質であって、αFSHの頭部がβFSHの頭部と並列されて、そしてそれぞれのFcRn結合パートナー各々の尾部が並列されている、前記ヘテロ二量体融合タンパク質。
【請求項２】
FSHサブユニットとFcRn結合パートナーとの間にリンカーをさらに含む、請求項1に記載の融合タンパク質。
【請求項３】
式
αFSH-L-Fc：βFSH-L-Fc
式中、αFSHはFSHのアルファ・サブユニットであり、βFSHはFSHのベータ・サブユニットであり、Lはリンカーまたは直接結合であり、そしてFcは免疫グロブリンのFc断片である
の2つのポリペプチド鎖を含む、融合タンパク質であって、αFSHのカルボキシ末端およびβFSHのカルボキシ末端は直接、またはLを介して間接的に、それぞれのFcのアミノ末端に連結されており、さらにコロン（：）は、融合タンパク質の2つのポリペプチド鎖間の会合に相当し、そしてさらにαFSHの頭部がβFSHの頭部と並列されて、そしてそれぞれのFc断片の各々の尾部が並列されている、前記融合タンパク質。
【請求項４】
式
Fc-L-αFSH：Fc-L-βFSH
式中、αFSHはFSHのアルファ・サブユニットであり、βFSHはFSHのベータ・サブユニットであり、Lはリンカーまたは直接結合であり、そしてFcは免疫グロブリンのFc断片である
の2つのポリペプチド鎖を含む、融合タンパク質であって、αFSHのアミノ末端およびβFSHのアミノ末端は直接、またはLを介して間接的に、それぞれのFcのカルボキシ末端に連結されており、さらにコロン（：）は、融合タンパク質の2つのポリペプチド鎖間の会合に相当し、そしてさらにαFSHの頭部がβFSHの頭部と並列されて、そしてそれぞれのFc断片の各々の尾部が並列されている、前記融合タンパク質。
【請求項５】
FSHがヒトFSHである、請求項1、3、または4のいずれか1項に記載の融合タンパク質。
【請求項６】
Fc断片が、SEQ ID NO: 4のアミノ酸番号145〜アミノ酸番号371に示される配列と、少なくとも80％の同一性を有するアミノ酸配列を含む、請求項3または4に記載の融合タンパク質。
【請求項７】
Fc断片が、SEQ ID NO: 4のアミノ酸番号145〜アミノ酸番号371に示される配列を有するアミノ酸配列を含む、請求項3または4に記載の融合タンパク質。
【請求項８】
FcがIgGのFc断片である、請求項3または4に記載の融合タンパク質。
【請求項９】
Lが直接結合である、請求項3または4に記載の融合タンパク質。
【請求項１０】
前記リンカーが約1〜20アミノ酸である、請求項2〜4のいずれか1項に記載の融合タンパク質。
【請求項１１】
前記リンカーが約8〜15アミノ酸である、請求項10に記載の融合タンパク質。
【請求項１２】
前記リンカーがアミノ酸配列EFAGAAAV（SEQ ID NO: 9）を有する、請求項11に記載の融合タンパク質。
【請求項１３】
前記リンカーが配列-（Gly）n-、式中、nは約1〜20の整数である、を含む、請求項10に記載の融合タンパク質。
【請求項１４】
前記リンカーが、-（GGS）n-または-（GGGGS）n-、式中、nは約1〜7の整数である、から選択される配列を含む、請求項10に記載の融合タンパク質。
【請求項１５】
2つのポリペプチド鎖間の会合が、FSHのアルファ・サブユニットとベータ・サブユニットとの間の会合を含む、請求項3または4に記載の融合タンパク質。
【請求項１６】
2つのポリペプチド鎖間の会合が、2つのFc断片間の会合を含む、請求項3または4に記載の融合タンパク質。
【請求項１７】
会合が、少なくとも1つのジスルフィド結合を含む、請求項16に記載の融合タンパク質。
【請求項１８】
請求項1、3、または4のいずれか1項に記載の融合タンパク質、および薬学的に許容しうる賦形剤を含む、薬剤組成物。
【請求項１９】
請求項1、3、または4のいずれか1項に記載の融合タンパク質のポリペプチド鎖の一方または両方をコードする核酸。
【請求項２０】
請求項19に記載の核酸を含むベクター。
【請求項２１】
請求項20に記載の単数または複数のベクターを含む細胞。
【請求項２２】
被験者の受胎能を増進するのに有効な、請求項1、3、または4のいずれか1項に記載の融合タンパク質を含む、被験者の受胎能を増加させるための医薬組成物。
【請求項２３】
被験者が不妊であり、そしてin vitro受精を望んでいる、請求項22に記載の医薬組成物。
【請求項２４】
被験者がヒトである、請求項22に記載の医薬組成物。
【請求項２５】
静脈内投与、筋内投与、皮下投与、経口投与、頬側投与、舌下投与、鼻投与、直腸投与、膣投与するか、エアロゾルを介して投与するか、または肺経路を介して投与する、請求項22に記載の医薬組成物。
【請求項２６】
請求項1、3、または4のいずれか1項に記載の融合タンパク質を含む、FSHによる治療に応答性の疾患状態を有する被験者を治療するための医薬組成物。
【請求項２７】
被験者がヒトである、請求項26に記載の医薬組成物。
【請求項２８】
静脈内投与、筋内投与、皮下投与、経口投与、頬側投与、舌下投与、鼻投与、直腸投与、膣投与するか、エアロゾルを介して投与するか、または肺経路を介して投与する、請求項26に記載の医薬組成物。
【請求項２９】
直接、またはリンカーを介して間接的に、FSHのアルファ・サブユニットおよびベータ・サブユニットの各々を、少なくともFcRn結合パートナーにコンジュゲート化することを含む、天然のFSHと比較して生体中での半減期を増加させたヘテロ二量体FSHであって、αFSHの頭部がβFSHの頭部と並列されて、そしてそれぞれのFcRn結合パートナー各々の尾部が互いに並列されている前記ヘテロ二量体FSH、を調製する方法。
【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
抗原性ＨＰＶ１６  Ｌ１タンパク質をコードし、野生型配列に比較して一つまたは複数の改変されたコドンを有する、配列番号１に示す新規な核酸配列であって、原核微生物に導入された場合に、該改変された配列が該改変された配列を内部に有するリコンビナントプラスミドベクターを安定化する核酸配列。
【請求項２】
請求項１記載の核酸配列を含むリコンビナントプラスミドベクター。
【請求項３】
ｐＦＳ１４ｎｓｄ−ＨＰＶ１６Ｌ１Ｓ、ｐＦＳｎｓｄ−ＨＰＶ１６ｋａｎＬ１ＳおよびｐＦＳｎｓｄ−ｋａｎＨｉｎＳ−ＨＰＶ１６Ｌ１Ｓからなる群より選択される、請求項２記載のリコンビナントプラスミドベクター。
【請求項４】
請求項２記載のリコンビナントプラスミドベクターを含む原核微生物。
【請求項５】
Salmonella sps、Escherichia coli、Shigella、Yyersinia、Lactobacillus、MycobacteriaおよびListeriaからなる群より選択される、請求項４記載の原核微生物。
【請求項６】
Salmonella spsが、Salmonella enterica serover typhi、Salmonella enterica serover typhimurium、Salmonella enterica serover dublinおよびSalmonella enterica serover enteritltidisからなる群より選択される、請求項５記載の原核微生物。
【請求項７】
Salmonella spsの株が、Salmonella enterica serovar Typhimurium ＰｈｏＰｃ（ＣＳ０２２）、Salmonella enterica serovar Typhimurium ＰｈｏＰ−（ＣＳ０１５）、Salmonella enterica serovar Typhimurium χ４９８９（ΔｃｙａΔｃｒｐ−ｃｄｔおよびΔａｒｏＡ（ＳＬ７２０７））；ならびにSalmonella enterica serovar Typhi Ｔｙ２ｌａ、ＣＶＤ９０８ｈｔｒＡ、およびＴｙ８００からなる群より選択される、請求項６記載の原核微生物。
【請求項８】
ＨＰＶ（ヒトパピローマウイルス）主要キャプシドタンパク質をコードする、コドンを改変された核酸配列を含み、対応するタンパク質を発現しているリコンビナント原核微生物であって、原核微生物に導入された場合に、該改変された核酸配列が該改変された核酸配列を内部に有するリコンビナントプラスミドベクターを安定化するリコンビナント原核微生物。
【請求項９】
弱毒化されている、請求項８記載のリコンビナント原核微生物。
【請求項１０】
ＨＰＶ主要キャプシドタンパク質が、肛門性器ガンを引き起こすＨＰＶ株からなる群より選択される、請求項８記載のリコンビナント原核微生物。
【請求項１１】
ＨＰＶ主要キャプシドタンパク質が、ＨＰＶ株であるＨＰＶ６、ＨＰＶ１１、ＨＰＶ１６、ＨＰＶ１８、ＨＰＶ３１およびＨＰＶ４５からなる群より選択される、請求項８記載のリコンビナント原核微生物。
【請求項１２】
Salmonella sps、Escherichia coli、Shigella、Yersinia、Lactobacillus、Mycobacteria、およびListeriaからなる群より選択される、請求項８記載のリコンビナント原核微生物。
【請求項１３】
Salmonella spsが、Salmonella enterica serovar Typhimurium ＰｈｏＰｃ（ＣＳ０２２）、Salmonella enterica serovar Typhimurium  ＰｈｏＰ−（ＣＳ０１５）、Salmonella enterica serovar Typhimurium χ４９８９（ΔｃｙａΔｃｒｐ−ｃｄｔおよびΔａｒｏＡ（ＳＬ７２０７））；ならびにSalmonella enterica serovar Typhi Ｔｙ２ｌａ、ＣＶＤ９０８ｈｔｒＡ、およびＴｙ８００からなる群より選択される、請求項１２記載のリコンビナント原核微生物。
【請求項１４】
ワクチンとして使用するためのリコンビナント微生物を産生するための、下記：
ａ．  抗原性ＨＰＶ１６  Ｌ１タンパク質をコードする、配列番号１に示す新規な核酸を合成すること、
ｂ．  プラスミドベクターｐＦＳｌ４ｎｓｄＨＰＶ１６Ｌ１、ｐＦＳ１４ｎｓｄＨＰＶ１６ｋａｎＬ１またはｐＦＳｎｓｄ−ｋａｎＨｉｎＳ−ＨＰＶ１６Ｌ１における本来のＨＰＶ１６  Ｌ１遺伝子を置換することにより、配列番号１に示す核酸配列を内部に有するリコンビナントプラスミドベクターを構築すること、および
ｃ．  原核微生物に該リコンビナントプラスミドベクターを導入して、リコンビナント微生物を得ること
を含む方法。
【請求項１５】
リコンビナントプラスミドベクターの導入がエレクトロポレーションにより行われる、請求項１４記載の方法。
【請求項１６】
リコンビナントプラスミドが、ｐＦＳ１４ｎｓｄＨＰＶ１６Ｌ１Ｓ、ｐＦＳ１４ｎｓｄＨＰＶ１６ｋａｎＬ１ＳおよびｐＦＳｎｓｄ−ｋａｎＨｉｎＳ−ＨＰＶ１６Ｌ１Ｓのいずれかである、請求項１４記載の方法。
【請求項１７】
原核微生物が、Salmonella sps、Escherichia coli、Shigella、Yersinia、Lactobacillus、Mycobacteria、およびListeriaからなる群より選択される、請求項１４記載の方法。
【請求項１８】
Salmonella spsが、Salmonella enterica serovar Typhimurium ＰｈｏＰｃ（ＣＳ０２２）、Salmonella enterica serovar Typhimurium ＰｈｏＰ−（ＣＳ０１５）、Salmonella enterica serovar Typhimurium χ４９８９（ΔｃｙａΔｃｒｐ−ｃｄｔおよびΔａｒｏＡ（ＳＬ７２０７））；ならびにSalmonella enterica serovar Typhi Ｔｙ２１ａ、ＣＶＤ９０８ｈｔｒＡ、およびＴｙ８００からなる群より選択される、請求項１７記載の方法。
【請求項１９】
パピローマウイルス感染および関連するガンのリスクの予防的または治療的処置のための薬剤を製造する方法であって、請求項４から１２のいずれか一項記載の原核微生物の弱毒化株の使用を含む方法。
【請求項２０】
パピローマウイルス感染および関連するガンのリスクの予防的または治療的処置のための薬剤の調製への、請求項４から１２のいずれか一項記載の原核微生物の弱毒化株の使用。
【請求項２１】
ＨＰＶ（ヒトパピローマウイルス）主要キャプシドタンパク質をコードする、コドンを改変された核酸を含み、対応するタンパク質を発現しているリコンビナント原核微生物を含むワクチンであって、原核微生物に導入された場合に、該改変された配列が、該改変された配列を内部に有するリコンビナントプラスミドベクターを安定化するワクチン。
【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
超多関節プローブであって、
複数のリンクを具える内側コアと、
複数のリンクを具える外側スリーブと、
内側コアの複数のリンク又は外側スリーブの複数のリンクの何れかを通って延びる第１ワイヤと、
内側コアの複数のリンク又は外側スリーブの複数のリンクの他方を通って延びる複数のワイヤと、
コマンド信号を生成するデバイスと、
コマンド信号に応答して、内側コア及び外側スリーブを弛緩モードと硬直モードの間で行き来させ、内側コア及び外側スリーブを前進及び引き戻させ、内側コア及び外側スリーブの少なくとも１つを操向する電気機械式フィーダとを具えるプローブ。
【請求項２】
フィーダ機構は、
第１ワイヤの張力を制御する第１機構と、
第１機構を運ぶ第１可動カートと、
複数のワイヤを制御する複数の機構と、
複数の機構を運ぶ第２可動カートと、
第１可動カートの位置を制御する第１アクチュエータと、
第２可動カートの位置を制御する第２アクチュエータとを具えており、
内側コア又は外側スリーブの一方は第１可動カートに応答し、内側コア又は外側スリーブの他方は第２可動カートに応答する、請求項１に記載のプローブ。
【請求項３】
第１機構、複数の機構、第１アクチュエータ及び第２アクチュエータは、夫々モータを具えている、請求項２に記載のプローブ。
【請求項４】
リンクは、円筒状、ドッグボーン状及び背骨状のリンクから成る群から選択される、請求項１に記載のプローブ。
【請求項５】
内側コア及び外側スリーブを有しており、内側コア又は外側スリーブの１つは硬直状態から開始する超多関節プローブを制御する方法であって、
弛緩している構造が応答するカートを所定距離前進させる工程と、
第１カートによって運ばれると共に張力を与える第１の機構を用いて、弛緩している構造を硬直させ、第２カートによって運ばれると共に張力を与える第２の機構を用いて、硬直している構造を弛緩させる工程と、
プローブの遠位端が所望の位置に配置されるまで、プロセスを繰り返す工程とを含んでおり、
内側コア及び外側スリーブの少なくとも１つは、弛緩状態の時に操向可能である方法。
【請求項６】
内側コアは操向可能であり、前進させる工程は、外側スリーブの遠位端を越えて、内側コアのリンクの長さ分、内側コアを前進させる工程を含み、前進させる工程は、外側スリーブを、その遠位端が内側コアの遠位端と同心円状になるまで前進させる工程をさらに含んでいる、請求項５に記載の方法。
【請求項７】
外側スリーブは操向可能であり、前進させる工程は、内側コアの遠位端を越えて、外側スリーブのリンクの長さ分、外側スリーブを前進させる工程を含み、前進させる工程は、内側コアを、その遠位端が外側スリーブの遠位端と同心円状になるまで前進させる工程をさらに含んでいる、請求項５に記載の方法。
【請求項８】
内側コア及び外側スリーブは操向可能であり、前進させる工程は、外側スリーブの遠位端を越えて、内側コアのリンクの長さ分、内側コアを前進させる工程を含み、前進させる工程は、内側コアの遠位端を越えて、外側スリーブのリンクの長さ分、外側スリーブを前進させる工程を含んでいる、請求項５に記載の方法。
【請求項９】
プローブが３次元空間内で動く際に、プローブの端部に設けられたデバイスから画像を生成する工程と、
画像を使用して、プローブの移動を制御する工程とをさらに含んでいる、請求項５に記載の方法。
【請求項１０】
画像を生成する工程は、カメラ及びレンズのうちの１つで画像を生成することを含んでいる、請求項９に記載の方法。
【請求項１１】
プローブの遠位端の位置を少なくとも含む３次元空間の画像を生成する工程と、
生成された画像を用いてプローブの移動を制御する工程とをさらに含んでいる、請求項５に記載の方法。
【請求項１２】
画像は、ＭＲＩ、音波、超音波及び放射線のうちの１つを使用して生成される、請求項１１に記載の方法。
【請求項１３】
生成された画像を用いてプローブの移動を制御する工程は、リアルタイムで実行される、請求項９又は請求項１１に記載の方法。
【請求項１４】
３次元空間は心膜であり、剣状突起の下に切開を加える工程と、プローブをその切開に挿入する工程とをさらに含んでいる、請求項９又は請求項１１に記載の方法。
【請求項１５】
繰り返し及び前進の間、体の器官、体の部分、腔内空間、又は自然の体の経路の調査を行う工程をさらに含んでいる、請求項９又は請求項１１に記載の方法。